(57)【特許請求の範囲】
【請求項１】
送信端は、各データストリームをプレコーディングした後対応する１つまたは複数のアンテナグループを介して伝送するステップであって、ここで、同じアンテナグループ内のアンテナ素子またはアンテナポートは同じ位相雑音を有し、１つのデータストリームに対応するすべてのアンテナグループは同じ位相雑音を有する前記伝送するステップと、
送信端は、各復調参考信号（ＤＭＲＳ）ポートのＤＭＲＳをプレコーディングした後対応する１つまたは複数のアンテナグループを介して伝送するステップであって、ここで、１つのＤＭＲＳポートに対応するすべてのアンテナグループは同じ位相雑音を有し、かつ１つのデータストリームは１つのＤＭＲＳポートに対応する前記伝送するステップと、
送信端は、各位相追跡参考信号（ＰＴＲＳ）ポートのＰＴＲＳをプレコーディングした後対応する１つまたは複数のアンテナグループを介して伝送するステップと、ここで、１つのＰＴＲＳポートに対応するすべてのアンテナグループは同じ位相雑音を有し、かつ、１つのＰＴＲＳポートは１つのＤＭＲＳポートに対応する前記伝送するステップとを備えることを特徴とする参考信号の送信方法。
【請求項２】
送信端はデータストリームをプレコーディングし、前記１つのデータストリームに対応するアンテナグループ以外の他のアンテナグループ内のアンテナ素子またはアンテナポートに対する重みがゼロであり、
送信端は１つのＤＭＲＳをプレコーディングし、前記１つのＤＭＲＳに対応するアンテナグループ以外の他のアンテナグループ内のアンテナ素子またはアンテナポートに対する重みがゼロであり、
送信端は、１つのＰＴＲＳをプレコーディングし、前記１つのＰＴＲＳに対応するアンテナグループ以外の他のアンテナグループ内のアンテナ素子またはアンテナポートに対する重みがゼロであることを特徴とする請求項１に記載の参考信号の送信方法。
【請求項３】
送信端は、各ＰＴＲＳポートと各ＤＭＲＳポートとの間の第１のマッピング関係を決定し、ここで、前記第１のマッピング関係では、１つのＰＴＲＳポートは、少なくとも１つのＤＭＲＳポートとマッピング関係を有し、マッピング関係を有するＰＴＲＳポートおよびＤＭＲＳポートは同じアンテナグループを使用して伝送することを特徴とする請求項１に記載の参考信号の送信方法。
【請求項４】
送信端は、前記第１のマッピング関係を決定した後、前記第１のマッピング関係を受信端に送信し、または、
送信端は、前記第１のマッピング関係について受信端と事前に合意し、
送信端は、前記第１のマッピング関係を受信端に送信する場合、
送信端は、高位層シグナリングを介して前記第１のマッピング関係を受信端に送信し、または、
送信端は、動的制御シグナリングを介して前記第１のマッピング関係を受信端に送信することを特徴とする請求項３に記載の参考信号の送信方法。
【請求項５】
送信端は、送信待機の各データストリームと前記各ＤＭＲＳポートとの間の第２のマッピング関係を決定し、前記第２のマッピング関係では、１つのデータストリームは１つのＤＭＲＳポートとマッピング関係を有し、ここで、マッピング関係を有するデータストリームおよびＤＭＲＳポートは同じアンテナグループを介して伝送することを特徴とする請求項１に記載の参考信号の送信方法。
【請求項６】
送信端は、前記第２のマッピング関係を決定した後、前記第２のマッピング関係を受信端に送信し、または、
送信端は、前記第２のマッピング関係について受信端と事前に合意し、
送信端は、前記第２のマッピング関係を受信端に送信する場合、
送信端は、高位層シグナリングを介して前記第２のマッピング関係を受信端に送信し、または、
送信端は、動的制御シグナリングを介して前記第２のマッピング関係を受信端に送信することを特徴とする請求項５に記載の参考信号の送信方法。
【請求項７】
１つのＰＴＲＳのために送信端によって使用されるプレコードは、前記ＰＴＲＳに対応するＤＭＲＳポートに対応する送信データストリームがＰＴＲＳサブキャリアにおいて使用するプレコードと同じであるかまたは関連することを特徴とする請求項１ないし請求項６のいずれか１項に記載の参考信号の送信方法。
【請求項８】
受信端は、各復調参考信号（ＤＭＲＳ）ポートに対応するアンテナグループそれぞれを介して送信端によって送信されたＤＭＲＳを受信し、受信された各ＤＭＲＳに基づいて第１のチャネル推定を実行し、第１のチャネル推定結果を取得するステップと、
受信端は、各位相追跡参考信号（ＰＴＲＳ）ポートに対応するアンテナグループを介して送信端によってそれぞれ送信されたＰＴＲＳを受信し、受信された各ＰＴＲＳに基づいて第２のチャネル推定を実行し、第２のチャネル推定結果を取得するステップと、
受信端は、第１のマッピング関係を決定し、前記第１のマッピング関係は、各ＰＴＲＳポートと各ＤＭＲＳポートとの間の対応関係を表し、対応関係を有するＰＴＲＳポートおよびＤＭＲＳポートは同じアンテナグループを介して伝送するステップと、
受信端は、前記第１のマッピング関係に基づいて各ＰＴＲＳの第２のチャネル推定結果および対応するＤＭＲＳの第１のチャネル推定結果を用いて、ＰＴＲＳを含むシンボルにおいて、各ＰＴＲＳポートに対応するアンテナグループの位相雑音から生じる位相変化を計算するステップとを備え、
前記１つのＰＴＲＳポートは、１つのＤＭＲＳポートに対応することを特徴とする位相雑音の決定方法。
【請求項９】
前記第１のマッピング関係は、受信端が送信端からの通知に基づいて取得され、または、前記第１のマッピング関係は受信端と送信端の間に事前に合意されたものであることを特徴とする請求項８に記載の位相雑音の決定方法。
【請求項１０】
受信端は、各データストリームに対応するアンテナグループを介して送信端によってそれぞれ送信されたデータストリームを受信し、
受信端は、第２のマッピング関係を決定し、前記第２のマッピング関係は、各データストリームと各ＤＭＲＳポートとの間の対応関係を表し、ここで、１つのデータストリームは１つのＤＭＲＳポートに対応し、対応関係を有するデータストリームおよびＤＭＲＳポートは、同じアンテナグループを介して伝送し、
受信端は、前記第２のマッピング関係に基づいて、各データストリームに対してそれぞれ以下の操作を実行し、
１つのデータストリームに対応するＤＭＲＳポート上で推定された第１のチャネル推定結果を決定し、
前記ＤＭＲＳポートに対応するアンテナグループの位相雑音から生じる位相変化を用いて前記第１のチャネル推定結果を補償し、
補償された第１のチャネル推定結果を用いて前記１つのデータストリームを復調することを特徴とする請求項８に記載の位相雑音の決定方法。
【請求項１１】
各データストリームをプレコーディングした後対応する１つまたは複数のアンテナグループを介して伝送し、ここで、同じアンテナグループ内のアンテナ素子またはアンテナポートは同じ位相雑音を有し、１つのデータストリームに対応するすべてのアンテナグループは同じ位相雑音を有する第１の送信ユニットと、
各復調参考信号（ＤＭＲＳ）ポートのＤＭＲＳをプレコーディングした後対応する１つまたは複数のアンテナグループを介して伝送し、ここで、１つのＤＭＲＳポートに対応するすべてのアンテナグループは同じ位相雑音を有し、かつ１つのデータストリームは１つのＤＭＲＳポートに対応する第２の送信ユニットと、
各位相追跡参考信号（ＰＴＲＳ）ポートのＰＴＲＳをプレコーディングした後対応する１つまたは複数のアンテナグループを介して伝送し、ここで、１つのＰＴＲＳポートに対応するすべてのアンテナグループは同じ位相雑音を有し、かつ１つのＰＴＲＳポートは１つのＤＭＲＳポートに対応する第３の送信ユニットとを備えることを特徴とする参考信号の送信装置。
【請求項１２】
プレコーディングユニットをさらに備え、
前記プレコーディングユニットは、
データストリームをプレコーディングし、前記１つのデータストリームに対応するアンテナグループ以外の他のアンテナグループ内のアンテナ素子またはアンテナポートに対する重みがゼロであり、
１つのＤＭＲＳをプレコーディングし、前記１つのＤＭＲＳに対応するアンテナグループ以外の他のアンテナグループ内のアンテナ素子またはアンテナポートに対する重みがゼロであり、
１つのＰＴＲＳをプレコーディングし、前記１つのＰＴＲＳに対応するアンテナグループ以外の他のアンテナグループ内のアンテナ素子またはアンテナポートに対する重みがゼロであることを特徴とする請求項１１に記載の参考信号の送信装置。
【請求項１３】
第１の処理ユニットをさらに備え、
前記第１の処理ユニットは、
各ＰＴＲＳポートと各ＤＭＲＳポートとの間の第１のマッピング関係を決定し、ここで、前記第１のマッピング関係では、１つのＰＴＲＳポートは、少なくとも１つのＤＭＲＳポートとマッピング関係を有し、第１のマッピング関係を有するＰＴＲＳポートおよびＤＭＲＳポートは同じアンテナグループを使用して伝送することを特徴とする請求項１１に記載の参考信号の送信装置。
【請求項１４】
第２の処理ユニットをさらに備え、
前記第２の処理ユニットは、
送信待機の各データストリームと前記各ＤＭＲＳポートとの間の第２のマッピング関係を決定し、前記第２のマッピング関係では、１つのデータストリームは１つのＤＭＲＳポートとマッピング関係を有し、ここで、第２のマッピング関係を有するデータストリームおよびＤＭＲＳポートは同じアンテナグループを介して伝送することを特徴とする請求項１１に記載の参考信号の送信装置。
【請求項１５】
各復調参考信号（ＤＭＲＳ）ポートに対応するアンテナグループそれぞれを介して送信端によって送信されたＤＭＲＳを受信し、受信された各ＤＭＲＳに基づいて第１のチャネル推定を実行し、第１のチャネル推定結果を取得するための第１の処理ユニットと、
各位相追跡参考信号（ＰＴＲＳ）ポートに対応するアンテナグループを介して送信端によってそれぞれ送信されたＰＴＲＳを受信し、受信された各ＰＴＲＳに基づいて第２のチャネル推定を実行し、第２のチャネル推定結果を取得するための第２の処理ユニットと、
第１のマッピング関係を決定するための第３の処理ユニットであって、前記第１のマッピング関係は、各ＰＴＲＳポートと各ＤＭＲＳポートとの間の対応関係を表し、ここで、１つのＰＴＲＳポートは、１つのＤＭＲＳポートに対応し、対応関係を有するＰＴＲＳポートおよびＤＭＲＳポートは同じアンテナグループを介して伝送する前記第３の処理ユニットと、
前記第１のマッピング関係に基づいて各ＰＴＲＳの第２のチャネル推定結果および対応するＤＭＲＳの第１のチャネル推定結果を用いて、ＰＴＲＳを含むシンボルにおいて、各ＰＴＲＳポートに対応するアンテナグループの位相雑音から生じる位相変化を計算する第４の処理ユニットとを備えることを特徴とする位相雑音の決定装置。
【請求項１６】
第５の処理ユニットをさらに備え、
前記第５の処理ユニットは、
各データストリームに対応するアンテナグループを介して送信端によってそれぞれ送信されたデータストリームを受信し、
第２のマッピング関係を決定し、前記第２のマッピング関係は、各データストリームと各ＤＭＲＳポートとの間の対応関係を表し、ここで、１つのデータストリームは１つのＤＭＲＳポートに対応し、対応関係を有するデータストリームおよびＤＭＲＳポートは、同じアンテナグループを介して伝送し、
前記第２のマッピング関係に基づいて、各データストリームに対してそれぞれ以下の操作を実行し、
１つのデータストリームに対応するＤＭＲＳポート上で推定された第１のチャネル推定結果を決定し、
前記ＤＭＲＳポートに対応するアンテナグループの位相雑音から生じる位相変化を用いて前記第１のチャネル推定結果を補償し、
補償された第１のチャネル推定結果を用いて前記１つのデータストリームを復調することを特徴とする請求項１５に記載の位相雑音の決定装置。
【発明の詳細な説明】
【技術分野】
【０００１】
［関連出願の相互参照］
本出願は、２０１６年１２月２８日に中国特許局に提出し、出願番号が２０１６１１２３９７６０.３であり、発明名称が「参考信号の送信方法、位相雑音の決定方法および関連装置」との中国特許出願を基礎とする優先権を主張し、その開示の総てをここに取り込む。
【０００２】
［技術分野］
本発明は、通信技術分野に関し、特に、参考信号の送信方法、位相雑音の決定方法および関連装置に関する。
【背景技術】
【０００３】
位相雑音は、無線通信において通信システムに干渉を引き起こす主な雑音であり、位相雑音は、通信システムの送信端および受信端内の発振器から生じ、マルチキャリア信号の送信に深刻な影響を及ぼす可能性がある。マルチキャリア信号伝送に対する位相雑音の影響を低減するために、受信端において受信信号に対して位相雑音補償を実行し、それによって伝送の精度を保証することができる。
【０００４】
従来技術では、位相追跡参考信号（ｒｅｆｅｒｅｎｃｅ ｓｉｇｎａｌ）が送信端に導入され、位相追跡参考信号を使用して位相雑音から生じる位相変化を追跡し、次に受信端は受信信号に対して位相雑音補償を実行する。
【０００５】
具体的には、マルチキャリア信号の伝送は、アップリンク伝送とダウンリンク伝送とを含むことができ、ダウンリンク伝送では、図１ａに示すように、右上隅の６１と６０は異なるポート番号を表す。ここで、１つの位相追跡参考信号のポートはサブキャリアを占有し、各位相追跡参考信号はサブフレーム内で連続的に送信される。送信端（例えば、基地局）はダウンリンク動的シグナリングを介して受信端（例えば、ユーザ装置）に現在伝送中の位相追跡参考信号用のポート数、例えば、位相追跡を送信するための２つのポートまたは１つのポートを通知することができる。
【０００６】
具体的には、図１ｂに示すように、アップリンク伝送の場合、右上隅のＰ（４０〜４３）は、ポート番号を表し、ここで、位相追跡参考信号の１つのポートは１つのサブキャリアを占める。各位相追跡参考信号はサブフレーム内で不連続に送信される。受信端（例えば、ユーザ装置）は、ダウンリンク動的シグナリングを介して、送信端（例えば、基地局）に現在伝送中の位相雑音補償信号のポート数、例えば、位相雑音補償信号伝送のための４つのポートまたは２つのポートを通知することができる。
【０００７】
さらに、位相追跡参考信号は、送信端がユーザデータを受信端に送信するときに使用され、前記プレコーディングされた後にのみ伝送することができる。
【０００８】
上記の案では、位相追跡参考信号はユーザデータおよび対応する復調参考信号（Ｄｅｍｏｄｕｌａｔｉｏｎ Ｒｅｆｅｒｅｎｃｅ Ｓｉｇｎａｌ，ＤＭＲＳ）と同じチャネルを通過する。は、位相追跡参考信号を含むシンボルに対するチャネル推定とＤＭＲＳを含むシンボルに対するチャネル推定との間の位相差を計算することによって、チャネル推定補償およびデータ復調のための位相雑音に起因する位相変化を取得するために用いられる。
【０００９】
マルチアンテナ送受信システムにおいて、送信端は複数のアンテナ素子またはアンテナポートを含む。これらのアンテナ素子またはアンテナポートが同じ位相雑音（同じ位相雑音源からの位相雑音）を有する場合、位相雑音は上記の案において正しく推定および補償され得る。しかしながら、送信端内のアンテナ素子またはアンテナポートが異なる位相雑音を有する場合、ユーザデータが通過するチャネルにわたって複数の位相変化があり得、それぞれの位相雑音から生じる異なる位相変化は、上記案で受信端内で推定することができない。その結果、チャネル推定補償およびデータ復調を正しく実行することができない。
【００１０】
この点を考慮すると、上記の欠点に対処するために、参考信号を送信するための方法、および位相雑音を決定するための方法を考案することが望ましい。
【発明の概要】
【発明が解決しようとする課題】
【００１１】
本発明の実施例は、参考信号の送信方法、位相雑音の決定方法および関連装置を提供し、送信端における異なるアンテナ素子またはアンテナポートの異なる位相雑音を正確に推定かつ補償するという従来技術における問題点を解決する。
【課題を解決するための手段】
【００１２】
本発明に係る実施例による技術案はいかとおりである。
第１の態様によれば、参考信号の送信方法は、
送信端は、各データストリームをプレコーディングした後対応する１つまたは複数のアンテナグループを介して伝送するステップであって、ここで、同じアンテナグループ内のアンテナ素子またはアンテナポートは同じ位相雑音を有し、１つのデータストリームに対応するすべてのアンテナグループは同じ位相雑音を有する前記伝送するステップと、
送信端は、各復調参考信号（ＤＭＲＳ）ポートのＤＭＲＳをプレコーディングした後対応する１つまたは複数のアンテナグループを介して伝送するステップと、ここで、１つのＤＭＲＳポートに対応するすべてのアンテナグループは同じ位相雑音を有し、かつ１つのデータストリームは１つのＤＭＲＳポートに対応する前記伝送するステップと、
送信端は、各位相追跡参考信号（ＰＴＲＳ）ポートのＰＴＲＳをプレコーディングした後対応する１つまたは複数のアンテナグループを介して伝送するステップであって、ここで、１つのＰＴＲＳポートに対応するすべてのアンテナグループは同じ位相雑音を有し、１つのＰＴＲＳポートは少なくとも１つのＤＭＲＳポートに対応する前記伝送するステップとを備える。
【００１３】
オプションとして、さらに、
送信端はデータストリームをプレコーディングし、前記１つのデータストリームに対応するアンテナグループ以外の他のアンテナグループ内のアンテナ素子またはアンテナポートに対する重みがゼロであり、
送信端は１つのＤＭＲＳをプレコーディングし、前記１つのＤＭＲＳに対応するアンテナグループ以外の他のアンテナグループ内のアンテナ素子またはアンテナポートに対する重みがゼロであり、
送信端は１つのＰＴＲＳをプレコーディングし、前記１つのＰＴＲＳに対応するアンテナグループ以外の他のアンテナグループ内のアンテナ素子またはアンテナポートに対する重みがゼロである。
【００１４】
オプションとして、前記方法では、
送信端は、各ＰＴＲＳポートと各ＤＭＲＳポートとの間の第１のマッピング関係を決定し、ここで、第１のマッピング関係を有するＰＴＲＳポートおよびＤＭＲＳポートは同じアンテナグループを使用して伝送する。
【００１５】
オプションとして、前記方法では、さらに、
送信端は、前記第１のマッピング関係を決定した後、前記第１のマッピング関係を受信端に送信し、または、
送信端は、前記第１のマッピング関係について受信端と事前に合意する。
【００１６】
オプションとして、送信端は、前記第１のマッピング関係を受信端に送信する場合、
送信端は、高位層シグナリングを介して前記第１のマッピング関係を受信端に送信し、または、
送信端は、動的制御シグナリングを介して前記第１のマッピング関係を受信端に送信する。
【００１７】
オプションとして、前記方法では、さらに、
送信端は、送信待機の各データストリームと前記各ＤＭＲＳポートとの間の第２のマッピング関係を決定し、ここで、第２のマッピング関係を有するデータストリームおよびＤＭＲＳポートは同じアンテナグループを介して伝送する。
【００１８】
オプションとして、前記方法では、さらに、
送信端は、前記第２のマッピング関係を決定した後、前記第２のマッピング関係を受信端に送信し、または、
送信端は、前記第２のマッピング関係について受信端と事前に合意する。
【００１９】
オプションとして、送信端は、前記第２のマッピング関係を受信端に送信する場合、
送信端は、高位層シグナリングを介して前記第２のマッピング関係を受信端に送信し、または、
送信端は、動的制御シグナリングを介して前記第２のマッピング関係を受信端に送信する。
【００２０】
オプションとして、１つのＰＴＲＳのために送信端によって使用される前記プレコードは、前記ＰＴＲＳに対応するＤＭＲＳポートに対応する送信データストリームがＰＴＲＳサブキャリアにおいて使用する前記プレコードと同じであるかまたは関連する。
【００２１】
オプションとして、１つのＤＭＲＳのために送信端によって使用される前記プレコードは、前記ＤＭＲＳに対応するＤＭＲＳポートに対応する１つのデータストリームが前記ＤＭＲＳポートを含むサブキャリアにおいて使用する前記プレコードと同じである。
【００２２】
第２の態様によれば、位相雑音の決定方法は、
受信端は、各復調参考信号（ＤＭＲＳ）ポートに対応するアンテナグループそれぞれを介して送信端によって送信されたＤＭＲＳを受信し、受信された各ＤＭＲＳに基づいて第１のチャネル推定を実行し、対応する第１のチャネル推定結果を取得するステップと、
受信端は、各位相追跡参考信号（ＰＴＲＳ）ポートに対応するアンテナグループを介して送信端によってそれぞれ送信されたＰＴＲＳを受信し、受信された各ＰＴＲＳに基づいて第２のチャネル推定を実行し、対応する第２のチャネル推定結果を取得するステップと、
受信端は、第１のマッピング関係を決定し、前記第１のマッピング関係は、各ＰＴＲＳポートと各ＤＭＲＳポートとの間の対応関係を表し、ここで、１つのＰＴＲＳポートは、少なくとも１つのＤＭＲＳポートに対応し、対応関係を有するＰＴＲＳポートおよびＤＭＲＳポートは同じアンテナグループを介して伝送するステップと、
受信端は、前記第１のマッピング関係に基づいて各ＰＴＲＳの第２のチャネル推定結果および対応するＤＭＲＳの第１のチャネル推定結果を用いて、ＰＴＲＳを含むシンボルにおいて、各ＰＴＲＳポートに対応するアンテナグループの位相雑音から生じる位相変化を計算するステップとを備える。
【００２３】
オプションとして、前記第１のマッピング関係は、受信端が送信端からの通知に基づいて取得され、または、前記第１のマッピング関係は受信端と送信端の間に事前に合意されたものである。
【００２４】
オプションとして、前記方法では、さらに、
受信端は、各データストリームに対応するアンテナグループを介して送信端によってそれぞれ送信されたデータストリームを受信し、
受信端は、第２のマッピング関係を決定し、前記第２のマッピング関係は、各データストリームと各ＤＭＲＳポートとの間の対応関係を表し、ここで、１つのデータストリームは１つのＤＭＲＳポートに対応し、対応関係を有するデータストリームおよびＤＭＲＳポートは、同じアンテナグループを介して伝送し、
受信端は、前記第２のマッピング関係に基づいて、各データストリームに対してそれぞれ以下の操作を実行し、
１つのデータストリームに対応するＤＭＲＳポート上で推定された第１のチャネル推定結果を決定し、
前記ＤＭＲＳポートに対応するアンテナグループの位相雑音から生じる位相変化を用いて前記第１のチャネル推定結果を補償し、
補償された第１のチャネル推定結果を用いて前記１つのデータストリームを復調する。
【００２５】
オプションとして、前記第２のマッピング関係は、受信端が送信端からの通知に基づいて取得され、または、前記第２のマッピング関係は受信端と送信端の間に事前に合意されたものである。
【００２６】
第３の態様によれば、参考信号の送信装置は、
各データストリームをプレコーディングした後対応する１つまたは複数のアンテナグループを介して伝送するための第１の送信ユニットであって、ここで、同じアンテナグループ内のアンテナ素子またはアンテナポートは同じ位相雑音を有し、１つのデータストリームに対応するすべてのアンテナグループは同じ位相雑音を有する前記第１の送信ユニットと、
各復調参考信号（ＤＭＲＳ）ポートのＤＭＲＳをプレコーディングした後対応する１つまたは複数のアンテナグループを介して伝送するための第２の送信ユニット、ここで、１つのＤＭＲＳポートに対応するすべてのアンテナグループは同じ位相雑音を有し、かつ１つのデータストリームは１つのＤＭＲＳポートに対応する前記第２の送信ユニットと、
各位相追跡参考信号（ＰＴＲＳ）ポートのＰＴＲＳをプレコーディングした後対応する１つまたは複数のアンテナグループを介して伝送するための第３の送信ユニットであって、ここで、１つのＰＴＲＳポートに対応するすべてのアンテナグループは同じ位相雑音を有し、１つのＰＴＲＳポートは少なくとも１つのＤＭＲＳポートに対応する前記第３の送信ユニットとを備える。
【００２７】
オプションとして、前記装置は、前記プレコーディングユニットをさらに備え、
前記前記プレコーディングユニットは、
データストリームをプレコーディングし、前記１つのデータストリームに対応するアンテナグループ以外の他のアンテナグループ内のアンテナ素子またはアンテナポートに対する重みがゼロであり、
１つのＤＭＲＳをプレコーディングし、前記１つのＤＭＲＳに対応するアンテナグループ以外の他のアンテナグループ内のアンテナ素子またはアンテナポートに対する重みがゼロであり、
１つのＰＴＲＳをプレコーディングし、前記１つのＰＴＲＳに対応するアンテナグループ以外の他のアンテナグループ内のアンテナ素子またはアンテナポートに対する重みがゼロである。
【００２８】
オプションとして、第１の処理ユニットをさらに備え、前記第１の処理ユニットは、
各ＰＴＲＳポートと各ＤＭＲＳポートとの間の第１のマッピング関係を決定し、ここで、第１のマッピング関係を有するＰＴＲＳポートおよびＤＭＲＳポートは同じアンテナグループを使用して伝送する。
【００２９】
オプションとして、前記第１の処理ユニットは、さらに、
前記第１のマッピング関係を決定した後、前記第１のマッピング関係を受信端に送信し、または、
前記第１のマッピング関係について受信端と事前に合意する。
オプションとして、前記第１のマッピング関係を受信端に送信する場合、前記第１の処理ユニットは、
高位層シグナリングを介して前記第１のマッピング関係を受信端に送信し、または、
動的制御シグナリングを介して前記第１のマッピング関係を受信端に送信する。
【００３０】
オプションとして、第２の処理ユニットをさらに備え、前記第２の処理ユニットは、
送信待機の各データストリームと前記各ＤＭＲＳポートとの間の第２のマッピング関係を決定し、ここで、第２のマッピング関係を有するデータストリームおよびＤＭＲＳポートは同じアンテナグループを介して伝送する。
【００３１】
オプションとして、前記第２の処理ユニットは、
前記第２のマッピング関係を決定した後、前記第２のマッピング関係を受信端に送信し、または、
前記第２のマッピング関係について受信端と事前に合意する。
【００３２】
オプションとして、前記第２のマッピング関係を受信端に送信する場合、前記第２の処理ユニットは、
高位層シグナリングを介して前記第２のマッピング関係を受信端に送信し、または、
動的制御シグナリングを介して前記第２のマッピング関係を受信端に送信する。
【００３３】
オプションとして、１つのＰＴＲＳのために前記装置によって使用される前記プレコードは、前記ＰＴＲＳに対応するＤＭＲＳポートに対応する送信データストリームがＰＴＲＳサブキャリアにおいて使用する前記プレコードと同じであるかまたは関連する。
【００３４】
オプションとして、１つのＤＭＲＳのために前記装置によって使用される前記プレコーディングは、前記ＤＭＲＳに対応するＤＭＲＳポートに対応する１つのデータストリームが前記ＤＭＲＳポートを含むサブキャリアにおいて使用する前記プレコードと同じである。
【００３５】
第４の態様によれば、位相雑音の決定装置は、
各復調参考信号（ＤＭＲＳ）ポートに対応するアンテナグループそれぞれを介して送信端によって送信されたＤＭＲＳを受信し、受信された各ＤＭＲＳに基づいて第１のチャネル推定を実行し、対応する第１のチャネル推定結果を取得するための第１の処理ユニットと、
各位相追跡参考信号（ＰＴＲＳ）ポートに対応するアンテナグループを介して送信端によってそれぞれ送信されたＰＴＲＳを受信し、受信された各ＰＴＲＳに基づいて第２のチャネル推定を実行し、対応する第２のチャネル推定結果を取得するための第２の処理ユニットと、
第１のマッピング関係を決定し、前記第１のマッピング関係は、各ＰＴＲＳポートと各ＤＭＲＳポートとの間の対応関係を表し、ここで、１つのＰＴＲＳポートは、少なくとも１つのＤＭＲＳポートに対応し、対応関係を有するＰＴＲＳポートおよびＤＭＲＳポートは同じアンテナグループを介して伝送するための第３の処理ユニットと、
前記第１のマッピング関係に基づいて各ＰＴＲＳの第２のチャネル推定結果および対応するＤＭＲＳの第１のチャネル推定結果を用いて、ＰＴＲＳを含むシンボルにおいて、各ＰＴＲＳポートに対応するアンテナグループの位相雑音から生じる位相変化を計算するための第４の処理ユニットとを備える。
【００３６】
オプションとして、前記第１のマッピング関係は、前記装置が送信端からの通知に基づいて取得され、または、前記第１のマッピング関係は、前記装置と送信端の間に事前に合意さたものである。
【００３７】
オプションとして、第５の処理ユニットをさらに備え、前記第５の処理ユニットは、
各データストリームに対応するアンテナグループを介して送信端によってそれぞれ送信されたデータストリームを受信し、
第２のマッピング関係を決定し、前記第２のマッピング関係は、各データストリームと各ＤＭＲＳポートとの間の対応関係を表し、ここで、１つのデータストリームは１つのＤＭＲＳポートに対応し、対応関係を有するデータストリームおよびＤＭＲＳポートは、同じアンテナグループを介して伝送し、
前記第２のマッピング関係に基づいて、各データストリームに対してそれぞれ以下の操作を実行し、
１つのデータストリームに対応するＤＭＲＳポート上で推定された第１のチャネル推定結果を決定し、
前記ＤＭＲＳポートに対応するアンテナグループの位相雑音から生じる位相変化を用いて前記第１のチャネル推定結果を補償し、
補償された第１のチャネル推定結果を用いて前記１つのデータストリームを復調する。
【００３８】
オプションとして、前記第２のマッピング関係は、前記装置が送信端からの通知に基づいて取得され、または、前記第２のマッピング関係は、前記装置と送信端の間に事前に合意さたものである。
【００３９】
第５の態様によれば、装置は、プロセッサと、送受信機と、メモリとを備え、前記プロセッサは、前記メモリ内のプログラムを読み取り、上記第１の態様のいずれかの方法を実行する。
【００４０】
第６の態様によれば、装置は、プロセッサと、送受信機と、メモリと、ユーザインタフェースとを備え、前記プロセッサは、前記メモリ内のプログラムを読み取り、上記の第２の態様のいずれかの方法を実行する。
【００４１】
第７の態様によれば、第１の態様の技術案のうちのいずれか１つによる方法をコンピュータに実行させるように構成されたコンピュータ実行可能命令を格納するコンピュータ記憶媒体を提供する。
【００４２】
第８の態様によれば、第２の態様の技術案のうちのいずれか１つによる方法をコンピュータに実行させるように構成されたコンピュータ実行可能命令を格納するコンピュータ記憶媒体を提供する。
【発明の効果】
【００４３】
本発明の実施形態では、送信端は、同じ位相雑音を有する対応するアンテナグループを介してそれぞれのプリコーディングされたユーザデータストリームを受信端に送信し、同じ位相雑音を有する対応するアンテナグループを介してそれぞれのプリコーディングされたＤＭＲＳを送信する。同じ位相雑音を有するそれぞれの対応するアンテナグループを介してそれぞれのプリコーディングされたＰＴＲＳを受信端に送信する。ここで、同じアンテナグループ内のアンテナ素子またはアンテナポートト要素またはアンテナポートに同じ位相雑音がある。ＰＴＲＳを受信すると、受信端は、受信された各ＰＴＲＳに基づいてチャネル推定を実行し、異なるアンテナグループに対応する位相雑音から生じる位相変化を決定する。このようにして、送信端の異なるアンテナの異なる位相雑音があったとしても、受信端は、異なる位相雑音から生じる位相変化を正確に決定し、それによって異なる位相変化に従ってＰＴＲＳに対応するＤＭＲＳのチャネル推定結果を補償し、異なるアンテナグループを介して送信されるすべてのデータを正確に復調する。
【図面の簡単な説明】
【００４４】
【図１ａ】ダウンリンク伝送における位相追跡参考信号の時間 − 周波数を示す図である。
【図１ｂ】アップリンク伝送における位相追跡参考信号の時間 − 周波数を示す図である。
【図２ａ】本発明の実施例に係る参考信号の送信方法および位相雑音の決定方法のフローチャートａを示す図である。
【図２ｂ】本発明の実施例に係る参考信号の送信方法および位相雑音の決定方法のフローチャートｂを示す図である。
【図３】本発明の実施例のうちの実施例１による参考信号のサブフレーム構成の概略図を示す。
【図４】本発明の実施例のうちの実施例１による参考信号の伝送方式の概略図を示す。
【図５】本発明の実施例のうちの実施例２による参考信号のサブフレーム構成の概略図を示す。
【図６】本発明の実施例のうちの実施例２による参考信号の伝送方式の概略図を示す。
【図７】本発明の実施例に係る参考信号の送信装置の第１の機能の構造の概略図を示す。
【図８】本発明の実施例に係る位相雑音の決定装置の第１の機能の構造の概略図を示す。
【図９】本発明の実施例に係る参考信号の送信装置の第２の機能の構造の概略図を示す。
【図１０】本発明の実施例に係る位相雑音の決定装置の第２の機能の構造の概略図を示す。
【発明を実施するための形態】
【００４５】
送信端における異なるアンテナ素子またはアンテナポートの異なる位相雑音を正確に推定および補償することができないという従来技術の問題に対処するために、本発明の実施例では、参考信号の送信および位相雑音の決定案が考案された。当該案では、送信端は、同じ位相雑音を有する対応するアンテナグループを介してそれぞれのプリコーディングされたユーザデータストリームを受信端に送信し、同じ位相雑音を有する対応するアンテナグループを介してそれぞれのプリコーディングされたＤＭＲＳを送信する。同じ位相雑音を有するそれぞれの対応するアンテナグループを介してそれぞれのプリコーディングされたＰＴＲＳを受信端に送信する。ここで、同じアンテナグループ内のアンテナ素子またはアンテナポートト要素またはアンテナポートに同じ位相雑音がある。ＰＴＲＳを受信すると、受信端は、受信された各ＰＴＲＳに基づいてチャネル推定を実行し、異なるアンテナグループに対応する位相雑音から生じる位相変化を決定する。
【００４６】
以下、図面を参照しながら本発明の好適な実施形態について詳細に説明する。
【００４７】
図２ａおよび図２ｂに示すように、本発明の一実施形態による位相雑音の決定方法の詳細な流れは以下の通りである。
【００４８】
ステップ２００において、送信端は、Ｓ個のアンテナグループを介して現在の時間単位（サブフレーム）で送信待機のＲ個のデータストリームを決定する。
【００４９】
具体的には、異なる水晶発振器を使用する異なるアンテナには異なる位相雑音があるので、アンテナはそれらの位相雑音に従ってＳ個のグループに分類され、同じアンテナグループ内のアンテナは同じ位相雑音を有する。
【００５０】
例えば、アンテナグループ１は、それぞれアンテナ１とアンテナ２の２つのアンテナを含み、アンテナグループ２は、それぞれアンテナ３とアンテナ４の２つのアンテナを含む。アンテナ１とアンテナ２は同じ位相雑音を有し、アンテナ３とアンテナ４は同じ位相雑音を有する。
【００５１】
さらに、各データストリームは、１つのアンテナグループに対応してもよく、または複数のアンテナグループに対応してもよい。ここで、１つのデータストリームに対応するすべてのアンテナグループは同じ位相雑音を有する。
【００５２】
例えば、データストリーム１とデータストリーム２の２つのデータストリームがあり、および、それぞれアンテナグループ１、アンテナグループ２とアンテナグループ３の３つのアンテナグループがある。例えば、データストリーム１はアンテナグループ３に対応し、データストリーム２はアンテナグループ１とアンテナグループ２に対応するので、アンテナグループ１とアンテナグループ２は同じ位相雑音を有する。
【００５３】
ステップ２０１において、送信端は、Ｒ個の復調参考信号（ＤＭＲＳ）ポートおよびＭ個の位相追跡参考信号（ＰＴＲＳ）ポートを決定する。
【００５４】
具体的には、送信端決定Ｒ個のＤＭＲＳポート，ここで、各ＤＭＲＳポートは、１つのアンテナグループに対応してもよく、複数のアンテナグループに対応してもよい。１つのＤＭＲＳポートに対応するすべてのアンテナグループは同じ位相雑音を有する。
【００５５】
例えば、例えばＲ=Ｒ=２であり、Ｓ=３であり、ここで、ＤＭＲＳポート1はアンテナグループ1に対応し、ＤＭＲＳポート２はアンテナグループ２とアンテナグループ3に対応し、アンテナグループ２およびアンテナグループ３は同じ位相雑音を有する。
【００５６】
また、具体的には、送信端決定Ｍ個のＰＴＲＳポート数，ここで、各ＰＴＲＳポートは、１つのアンテナグループに対応してもよく、複数のアンテナグループに対応してもよい。１つのＰＴＲＳポートに対応するすべてのアンテナグループは同じ位相雑音を有する。
【００５７】
例えば、Ｍ=２，Ｓ=３であり、ここで、ＰＴＲＳポート1はアンテナグループ1に対応し、ＰＴＲＳポート２は、アンテナグループ２とアンテナグループ3に対応し、アンテナグループ２およびアンテナグループ3は同じ位相雑音を有する。
【００５８】
ステップ２０２において、送信端は、Ｍ個のＰＴＲＳポートとＲ個のＤＭＲＳポートとの間の第１のマッピング関係を決定する。
【００５９】
具体的には、送信端は、決定されたＭ個のＰＴＲＳポートおよび決定されたＲ個のＤＭＲＳポートに基づき、各ＰＴＲＳポートと各ＤＭＲＳポートとの間の対応関係を決定する。ここで、１つのＰＴＲＳポートは少なくとも１つのＤＭＲＳポートに対応する。対応関係を有するＰＴＲＳポートおよびＤＭＲＳポートは同じアンテナグループを使用して伝送する。
【００６０】
例えば、Ｍ=２，Ｒ=５であり、すなわちそれぞれＰＴＲＳポート１とＰＴＲＳポート２の２つのＰＴＲＳポートがあり、ＤＭＲＳポート１、ＤＭＲＳポート２、ＤＭＲＳポート３、ＤＭＲＳポート４およびＤＭＲＳポート５の５つのＤＭＲＳポートがある。ＤＭＲＳポート１およびＤＭＲＳポート２がＰＴＲＳポート１に対応し、ＤＭＲＳポート３、ＤＭＲＳポート４、およびＤＭＲＳポート５がＰＴＲＳポート２に対応する場合、ＰＴＲＳポート１とＤＭＲＳポート１およびＤＭＲＳポート２の間に第１のマッピング関係を有し、ＰＴＲＳポート２とＤＭＲＳポート３、ＤＭＲＳポート４とＤＭＲＳポート５と間に第１のマッピング関係を有する。たとえば、アンテナグループ１がＰＴＲＳポート１での送信に使用される場合、アンテナグループ１はＤＭＲＳポート１およびＤＭＲＳポート２での送信にも使用される。たとえば、アンテナグループ２はPTRSポート２での送信に使用されるため、アンテナグループ２はＤＭＲＳポート３、ＤＭＲＳポート４、及びＤＭＲＳポート５での送信にも使用される。
【００６１】
さらに、上記の第１のマッピング関係は、送信端と受信端との間で事前に合意され得るか、または送信端によって割り当てられ得、送信端によって割り当てられる場合、送信端は、第１のマッピング関係を高位層シグナリングを介してまたは動的制御シグナリングを介して受信端に送信する必要がある。
【００６２】
ステップ２０３において、送信端は、送信待機のＲ個のデータストリームとＲ個のＤＭＲＳポートとの間の第２のマッピング関係を決定する。
【００６３】
具体的には、送信端は、決定されたＲ個のデータストリームおよびＲ個のＤＭＲＳポートに基づき、第２のマッピング関係を決定し、前記第２のマッピング関係では、１つのデータストリームは１つのＤＭＲＳポートに対応し、対応関係を有するデータストリームおよびＤＭＲＳポートは同じアンテナグループを介して伝送する。
【００６４】
例えば、Ｒ=３であり、すなわちそれぞれ３つのデータストリームお呼びつのＤＭＲＳポートがある。データストリーム１がＤＭＲＳポート１に対応し、データストリーム２がＤＭＲＳポート２に対応し、データストリーム３がＤＭＲＳポート３に対応する場合、データストリーム１とＤＭＲＳポート１との間に第２のマッピング関係があり、データストリーム２とＤＭＲＳポート２との間に第２のマッピング関係があり、データストリーム３とＤＭＲＳポート３の間にも第２のマッピング関係がある。また、たとえば、ＤＭＲＳポート１はアンテナグループ１に対応し、ＤＭＲＳポート２はアンテナグループ２に対応し、ＤＭＲＳポート３はアンテナグループ３に対応する場合、データストリーム１はアンテナグループ１に対応し、データストリーム２はアンテナグループ２に対応し、データストリーム３はアンテナグループ３に対応する。
【００６５】
さらに、上記の第２のマッピング関係は、送信端と受信端との間で事前に合意され得るか、または送信端によって割り当てられ得、送信端によって割り当てられる場合、送信端は、第２のマッピング関係を高位層シグナリングを介してまたは動的制御シグナリングを介して受信端に送信する必要がある。
【００６６】
ステップ２０４において、送信端は、ＤＭＲＳを含むＯＦＤＭシンボルで、各ＤＭＲＳポートのＤＭＲＳをプレコーディングし、それぞれの対応するアンテナグループを介してプレコーディングされた各ＤＭＲＳを受信端に送信する。
【００６７】
具体的には、送信端は、ＤＭＲＳを含むＯＦＤＭシンボルで、各ＤＭＲＳポートのＤＭＲＳをプレコーディングする。ここで、送信端が１つのＤＭＲＳをプレコーディングする場合、当該１つのＤＭＲＳに対応するアンテナグループ以外の他のアンテナグループ内のアンテナ素子またはアンテナポートに対する重みがゼロである。
【００６８】
さらに、１つのＤＭＲＳポートのＤＭＲＳのための送信端によって使用される前記プレコーディングは、当該ＤＭＲＳポートに対応するデータストリームが前記ＤＭＲＳポートを含むサブキャリアにおいて使用する前記プレコードと同じである。
【００６９】
さらに、送信端は、各ＤＭＲＳポートのＤＭＲＳをプレコーディングした後、プレコーディングされた後の各ＤＭＲＳをそれに対応する１つまたは複数のアンテナグループを介して受信端に送信する。
【００７０】
例えば、２つのＤＭＲＳポートと３つのアンテナグループがあり、ＤＭＲＳポート１がアンテナグループ１に対応し、ＤＭＲＳポート２がアンテナグループ２とアンテナグループ３に対応する場合、送信端は、ＤＭＲＳポート１に対応するアンテナグループ１をかいして、受信端にＤＭＲＳ１を送信し、ＤＭＲＳポート２に対応するアンテナグループ２およびアンテナグループ３を介して受信端にＤＭＲＳ２を送信する。
【００７１】
ステップ２０５において、受信端は、ＤＭＲＳを含むＯＦＤＭシンボルで送信端によって送信された各ＤＭＲＳを受信し、受信された各ＤＭＲＳに基づいて第１のチャネル推定を実行し、対応する第１のチャネル推定結果を取得する。
【００７２】
具体的には、受信端は、送信端がＤＭＲＳを含むＯＦＤＭシンボルにおいて各ＤＭＲＳポートに対応する１つのアンテナグループまたは複数のアンテナグループを介して送信したＤＭＲＳを受信する。受信された各ＤＭＲＳに基づいて第１のチャネル推定を実行し、対応する第１のチャネル推定結果を取得する。
【００７３】
その前のステップの場合の例を引き続き挙げて、受信端は、ＤＭＲＳ１とＤＭＲＳ２の２つのＤＭＲＳを受信する。受信端は、ＤＭＲＳ１およびＤＭＲＳ２それぞれに対して第１のチャネル推定を実行して、ＤＭＲＳ１の第１のチャネル推定結果１及びＤＭＲＳ２の第１のチャネル推定結果２を取得する。
【００７４】
ステップ２０６において、送信端は、ＰＴＲＳを含むＯＦＤＭシンボルで、各ＰＴＲＳポートのＰＴＲＳをプレコーディングし、それぞれの対応するアンテナグループを介してプレコーディングされた各ＰＴＲＳを受信端に送信する。
【００７５】
具体的には、送信端は、ＰＴＲＳを含むＯＦＤＭシンボルで、各ＰＴＲＳポートのＰＴＲＳをプレコーディングし、ここで、送信端が１つのＰＴＲＳをプレコーディングする場合、当該１つのＰＴＲＳに対応するアンテナグループ以外の他のアンテナグループ内のアンテナ素子またはアンテナポートに対する重みがゼロである。
【００７６】
さらに、１つのＰＴＲＳのために送信端によって使用される前記プレコードは、前記ＰＴＲＳに対応するＤＭＲＳポートに対応する送信データストリームがＰＴＲＳサブキャリアにおいて使用する前記プレコードと同じであるかまたは関連する。ＰＴＲＳポートが１つのＤＭＲＳポートに対応する場合、ＰＴＲＳポートのＰＴＲＳのプリコードは、ＰＴＲＳポートに対応するＤＭＲＳポートに対応するデータストリームのプリコードと同じである。PTRS ＰＴＲＳポートが２つ以上のＤＭＲＳポートに対応する場合、ＰＴＲＳポートのＰＴＲＳのプリコードは、ＰＴＲＳポートに対応するＤＭＲＳポートに対応するデータストリームが当該ＰＴＲＳサブキャリアにおいて使用するプリコードに対して演算を実行した結果である。
【００７７】
さらに、送信端は、各ＰＴＲＳポートのＰＴＲＳをプレコーディングした後、それぞれのプレコーディングされた後の各ＰＴＲＳをそれらの対応する１つまたは複数のアンテナグループを介して受信端に伝送する。
【００７８】
例えば、２つのＰＴＲＳポートと３つのアンテナグループがあり、ＰＴＲＳポート１がアンテナグループ１に対応し、ＰＴＲＳポート２がアンテナグループ２とアンテナグループ３に対応すると、送信端は、ＰＴＲＳポート１に対応するアンテナグループ１を介して受信端にＰＴＲＳ１を送信し、ＰＴＲＳポート２に対応するアンテナグループ２およびアンテナグループ３を介して受信端にＰＴＲＳ２を送信する。
【００７９】
ステップ２０７において、受信端は、ＰＴＲＳを含むＯＦＤＭシンボル内の各ＰＴＲＳを受信し、受信された各ＰＴＲＳに基づいて第２のチャネル推定を実行し、対応する第２のチャネル推定結果を取得する。
【００８０】
具体的には、受信端は、送信端がＰＴＲＳを含むＯＦＤＭシンボルにおいて各ＰＴＲＳポートに対応する１つのアンテナグループまたは複数のアンテナグループを介して送信したＰＴＲＳを受信する。受信された各ＰＴＲＳに基づいて第２のチャネル推定を実行し、対応する第２のチャネル推定結果を取得する。
【００８１】
前のステップの例を引き続き挙げて、受信端は、それぞれＰＴＲＳ１およびＰＴＲＳ２である２つのＰＴＲＳを受信し、受信端はそれぞれＰＴＲＳ１およびＰＴＲＳ２に対して第２のチャネル推定を実行し、ＰＴＲＳ１の第２のチャネル推定結果１を取得し、およびＰＴＲＳ２の第２のチャネル推定結果２を取得する。
【００８２】
ステップ２０８において、受信端は、第１のマッピング関係を決定し、第１のマッピング関係に基づいてＰＴＲＳを含むＯＦＤＭシンボルにおいて取得した各ＰＴＲＳの第２のチャネル推定結果およびＤＭＲＳを含むＯＦＤＭシンボルにおいて取得した各ＤＭＲＳの第１のチャネル推定結果を用い、前記ＰＴＲＳを含むＯＦＤＭシンボルにおいて、各ＰＴＲＳポートに対応するアンテナグループの位相雑音から生じる位相変化を計算する。
【００８３】
具体的には、受信端は、第１のマッピング関係を決定し、当該第１のマッピング関係は、各ＰＴＲＳポートと各ＤＭＲＳポートとの間の対応関係を表す。ここで、１つのＰＴＲＳポートは少なくとも１つのＤＭＲＳポートに対応する。対応関係を有するＰＴＲＳポートおよびＤＭＲＳポートは同じアンテナグループを使用して伝送する。
【００８４】
さらに、前記第１のマッピング関係が送信端によって第１のマッピング関係として決定された後、次いで送信端によって受信端に送信されるか、または受信端と送信端との間で事前に合意することができる。ここで、送信端は、高位層シグナリングを介してまたは動的制御シグナリングを介して第１のマッピング関係を受信端に送信する。
【００８５】
さらに、第１のマッピング関係が決定された後、受信端は、ＰＴＲＳを含むＯＦＤＭシンボルで得られた各ＰＴＲＳの第２のチャネル推定結果、およびＤＭＲＳを含むＯＦＤＭシンボルで得られた各ＤＭＲＳの第１のチャネル推定結果を使用する。前記ＰＴＲＳを含むＯＦＤＭシンボルにおいて、各ＰＴＲＳポートに対応するアンテナグループの位相雑音から生じる位相変化を計算する。
【００８６】
例えば、１つのサブフレーム内のすべてのＤＭＲＳは第３のＯＦＤＭシンボルで送信され、すべてのＰＴＲＳは第４のＯＦＤＭシンボルで送信される。ＰＴＲＳポート１はＤＭＲＳポート1に対応する。アンテナグループ1はＰＴＲＳポート２に対応する。ＤＭＲＳポート２はアンテナグループ２に対応する。第４のＯＦＤＭシンボルで得られたＰＴＲＳ１の第２のチャネル推定結果１および第３のＯＦＤＭシンボルで得られたＤＭＲＳ１の第１のチャネル推定結果１に基づいて、第４のＯＦＤＭシンボルにおいてＰＴＲＳポート1に対応するアンテナグループ１の位相雑音から生じる位相変化１を算出し、および、第４のＯＦＤＭシンボルにおいて、ＰＴＲＳポート２に対応するアンテナグループ２の位相雑音から生じる位相変化２を算出する。
【００８７】
ステップ２０９において、送信端は、送信待機の各データストリームをプレコーディングし、それぞれの対応するアンテナグループを介して対応するデータストリームを受信端に送信する。
【００８８】
具体的には、送信端は、受信端にデータストリームを送信する前、各送信待機のデータストリームをプレコーディングする。ここで、送信端が１つのデータストリームをプレコーディングする場合、上記の１つのデータストリームに対応するアンテナグループ以外の他のアンテナグループ内のアンテナ素子またはアンテナポートに対する重みがゼロである。そのプリコードは、受信端によってフィードバックすることができ、またはアップリンクおよびダウンリンクの相互性に従って送信端によって決定することができる。
【００８９】
さらに、送信端は、各データストリームをプレコーディングした後に、プレコーディングされた各データストリームを、対応する１つまたは複数のアンテナグループを介して受信端にそれぞれ送信する。
【００９０】
ステップ２１０：受信端は、送信端からのデータストリームを受信し、２のマッピング関係を決定し、ＰＴＲＳを含むＯＦＤＭシンボル内のデータストリームについて、当該ＰＴＲＳを含むＯＦＤＭシンボルにおける各ＤＭＲＳポートに対応するアンテナグループの位相変化を用いて、ＤＭＲＳポートについて得られた第１のチャネル推定結果を補償し、第２のマッピング関係に基づき、補償された第１のチャネル推定結果を用いて上記データストリームを復調する。
【００９１】
具体的には、受信端は、第２のマッピング関係を決定し、第２のマッピング関係は、各データストリームと各ＤＭＲＳポートとの間の対応関係を表し、ここで、１つのデータストリームは１つのＤＭＲＳポートに対応し、対応関係を有するデータストリームおよびＤＭＲＳポートは同じアンテナグループを介して伝送する。
【００９２】
さらに、第２のマッピング関係が決定され、次いで送信端によって受信端に送信されるか、または受信端と送信端との間で事前に合意することができる。ここで、送信端は、高位層シグナリングを介してまたは動的制御シグナリングを介して第２のマッピング関係を受信端に送信する。
【００９３】
さらに、受信端は、送信端が各データストリームに対応するアンテナグループを介して送信されたデータストリームを受信し、受信端によって受信されたデータストリームについて、受信端は、第２のマッピング関係に基づき、データストリームに対して、以下通りに実行する。
【００９４】
受信端は、核データストリームに対応するＤＭＲＳポート推定の第１のチャネル推定結果を決定する。当該ＤＭＲＳポートに対応するアンテナグループの位相雑音から生じる位相変化を用いて、上記の第１のチャネル推定結果を補償する。
【００９５】
第２のマッピング関係に基づき、補償された第１のチャネル推定結果を用いてデータストリームを復調する。
【００９６】
勿論、本発明の実施例では、送信端は、参考信号（例えば、ＰＴＲＳ，ＤＭＲＳ）及びデータストリームを時系列順に送信せず、送信端はＰＴＲＳ、ＤＭＲＳおよびデータストリームを同時に伝送することができる。それに対応して、受信端は参考信号またはデータストリームを時系列順に受信しない。説明の便宜上、上記の実施形態の各ステップで送信したので重複する説明は省略する。
【００９７】
上記の実施例では、１つのサブフレーム内の各ＯＦＤＭシンボルにおいて各データストリームが位相雑音の影響を受ける可能性があるため、ＤＭＲＳを含むシンボルにおけるチャネル推定結果を他のデータストリームの復調に直接使用することはできない。したがって、各ＰＴＲＳを含むＯＦＤＭシンボルにおいて、推定された位相雑音から生じる位相変化に基づいてＤＭＲＳを含むＯＦＤＭシンボルにおけるチャネル推定結果を補償し、補償されたチャネル推定結果を使用して対応するＯＦＤＭシンボルにおいて受信されたデータストリームを復調することが必要である。
【００９８】
例えば１つのＯＦＤＭシンボルを取り上げて、本発明の実施形態を特定の実施シナリオと組み合わせて以下にさらに説明する。
【００９９】
第１のシナリオ：
伝送待機の２つのデータストリームがあり、すなわち、Ｒ=Ｒ=２であり、送信端内にＮ個のアンテナ（アンテナ素子またはアンテナポート）があり、アンテナは位相雑音に従って２つのグループに分類される。すなわち、Ｓ=２であり、同じアンテナグループ内に同じ位相雑音が存在する。ここで、最初のＮ１個のアンテナが１つのグループであり、最後の（Ｎ − Ｎ１）個のアンテナが１つのグループである。
【０１００】
さらに、２つのＰＴＲＳポート、すなわちＭ ＝ ２があると仮定すると、データストリームとＤＭＲＳポートとの間の１対１の対応関係により、２つのＤＭＲＳポートがある。１つのＤＭＲＳポートは１つのアンテナグループに対応する。
【０１０１】
さらに、参考信号（ＰＴＲＳおよびＤＭＲＳを含む）のサブフレーム構成が図３に示されていると仮定する。ここで、１つのサブフレームは１４個のＯＦＤＭシンボルと１２個のサブキャリアを含む。横軸は時間領域である。
【０１０２】
さらに、ＤＭＲＳは第３のＯＦＤＭシンボル内に配置され、１つのＯＦＤＭシンボル内のＤＭＲＳは周波数分割多重モードで２つのＤＭＲＳポートを介して送信される。１つのＰＴＲＳが１つのサブキャリアを占有し、ＰＴＲＳポート1が第５のサブキャリアに配置され、ＰＴＲＳポート２が第４のサブキャリアに配置される。ここで、ＰＴＲＳは、第４のＯＦＤＭシンボルから14個のＯＦＤＭシンボルまで連続して送信される。ここで、上記のサブフレームにおいて、第１のＯＦＤＭシンボルから第２のＯＦＤＭシンボルは制御チャネルであり、残りの空白のＯＦＤＭシンボルは、データストリームの伝送チャネルである。
【０１０３】
送信端（例えば、基地局）：
送信待機の第１のデータストリームは送信機内の最初のＮ１本のアンテナを介して送信され、送信待機の第２のデータストリームは送信端内の最後の（Ｎ − Ｎ１）本のアンテナを介して送信される。具体的には図４に示すようになっている。
【０１０４】
例としてｋ番目のサブキャリアを取り上げると、好ましくは、データストリームを送信するためのプリコード行列は、以下の式で決定することができる。
【０１０５】
【数１】
0006980169.tif 000002
【０１０６】
ここで、
【０１０７】
【数２】
0006980169.tif 000003
【０１０８】
は、Ｎ１×１の列ベクトルであり、第１のデータストリームによって使用される前記プレコーディング内の最初のN1個のアンテナに対する重みに対応する。
ここで、
【０１０９】
【数３】
0006980169.tif 000004
【０１１０】
は（Ｎ−Ｎ１）×１の列ベクトルであり、第２のデータストリームによって使用される前記プレコーディング内の最後の（N-N1）個のアンテナに対する重みに対応する。
さらに、図４に示すように、ＤＭＲＳポート１は送信端内の最初のＮ１本のアンテナに対応し、ＤＭＲＳ１は送信端内の最初のＮ１本のアンテナで伝送される。また、図３と組み合わせると、ＤＭＲＳ１は、サブキャリアd１=２，４，６，８，１０，１２上に分散され、サブキャリアd１上のＤＭＲＳ１の場合、送信端がＤＭＲＳ１をプレコーディングするとき用いられるプレコードは、当該サブキャリア上で伝送される第１のデータストリームに対応する前記プレコード
【０１１１】
【数４】
0006980169.tif 000005
【０１１２】
と同じである。
対応して、ＤＭＲＳポート２は送信端内の最後の（Ｎ − Ｎ１）本のアンテナに対対応し、ＤＭＲＳ２は送信端内の最後の（Ｎ − Ｎ１）本のアンテナ上で伝送され、サブキャリアd２=１，３，５，７，９，１１上に分散される。サブキャリアd２上のＤＭＲＳ２の場合、送信端がＤＭＲＳ２をプレコーディングするときに用いられる前記プレコードは、当該サブキャリア上で伝送される第２のデータストリームに対応する前記プレコーディング
【０１１３】
【数５】
0006980169.tif 000006
【０１１４】
と同じである。
２つのＰＴＲＳポートは、それぞれの対応するアンテナグループの位相雑音を推定するために使用され、ここで、ＰＴＲＳポート１は
【０１１５】
【数６】
0006980169.tif 000007
【０１１６】
を使用してプレコーディングし、ＰＴＲＳポート２は
【０１１７】
【数７】
0006980169.tif 000008
【０１１８】
を使用してプレコーディングする。
送信は、ＰＴＲＳポート１とＤＭＲＳポート１との間、およびＰＴＲＳポート２とＤＭＲＳポート２との間の第１のマッピング関係を、高位層シグナリングまたは動的制御シグナリングを介して受信端に通知する。また、送信端は、第１のデータストリームとＤＭＲＳポート１との間、および第２のデータストリームとＤＭＲＳポート２との間の第２のマッピング関係を高位層シグナリングまたは動的制御シグナリングを介して受信端に通知する。
【０１１９】
もちろん、送信端は、高位層シグナリングまたは動的制御シグナリングを介して受信端に通知する代わりに、第１のマッピング関係および第２のマッピング関係に関して受信端と事前に合意することができる。
【０１２０】
受信端（例えば、端末）：
対応して、受信端として、異なるアンテナグループ内のアンテナが異なる位相雑音を有し、好ましくは、ｌ番目のＯＦＤＭシンボルのｋ番目のサブキャリアで受信されるデータストリームは、以下の式で決定され得る。
【０１２１】
【数８】
0006980169.tif 000009
【０１２２】
ここで、Ｙk,lは、受信信号を示し、１つのＮｒ×１の列ベクトルであり、Ｎｒは受信アンテナポート数を示す。
【０１２３】
【数９】
0006980169.tif 000010
【０１２４】
は受信端の位相雑音を示し、１つのＮｒ×Ｎｒ対角行列である。
【０１２５】
【数１０】
0006980169.tif 000011
【０１２６】
内の各要素は１つの受信アンテナポート上の位相雑音を示す。Ｈk,lは１つのＮｒ×Ｎｔのチャネル行列を示す。Ｈk,l内の各要素は１つの、送信端アンテナポートから受信端アンテナポートへのチャネルを表す。Ｎｔは送信アンテナポート数である。
【０１２７】
【数１１】
0006980169.tif 000012
【０１２８】
は、送信端の位相雑音を表し、１つのＮｔ×Ｎｔ対角行列である。
【０１２９】
【数１２】
0006980169.tif 000013
【０１３０】
内の各要素は１つの送信アンテナポート上の位相雑音を表す。Ｗk,lはＮｔ×Ｎｓの前記プレコード行列を表す。Ｘk,lは送信信号を表し、１つのＮｓ×１の列ベクトルであり、Ｎｓ個のデータストリームが並行に送信することを示す。
【０１３１】
さらに、上記の式は、送信端に対応して具体的には以下のように書くことができる。
【０１３２】
【数１３】
0006980169.tif 000014
【０１３３】
ここで、１つのサブフレーム内のチャネルおよびプリコードが変更しない。すなわち、チャネル行列Ｈk,lおよび前記プレコード行列Ｗk,lは変更されていない場合、送信端の位相雑音行列の対角線上にある。
【０１３４】
【数１４】
0006980169.tif 000015
【０１３５】
の要素はN1個である。
【０１３６】
【数１５】
0006980169.tif 000016
【０１３７】
の要素は（N-N1）個である。
受信端は、第３のＯＦＤＭシンボルでＤＭＲＳを受信し、第１の受信アンテナの例を取り、ＤＭＲＳポート１を介して受信されたＤＭＲＳ１を使用してチャネル推定を実行し、チャネル推定結果
【０１３８】
【数１６】
0006980169.tif 000017
【０１３９】
を取得する。また、ＤＭＲＳポート２を介して受信したＤＭＲＳ２を用いてチャネル推定を行い、チャネル推定結果
【０１４０】
【数１７】
0006980169.tif 000018
【０１４１】
を取得する。
受信端は、ＤＭＲＳを含む第３のＯＦＤＭシンボルでのチャネル補間によって、すべてのサブキャリアのチャネルに対してチャネル推定を実行することができ、ここで、図３に示すように、サブキャリアについてk=１，２，…，１２である。
【０１４２】
受信端は、４番目のＯＦＤＭシンボルから２つのＰＴＲＳポートで送信されたＰＴＲＳを受信し、ＰＴＲＳポート１を通じて受信されたＰＴＲＳ１を用いてチャネル推定を行い、チャネル推定結果
【０１４３】
【数１８】
0006980169.tif 000019
【０１４４】
を取得する。ＰＴＲＳポート２を通じて受信されたＰＴＲＳ２を用いてチャネル推定を行い、チャネル推定結果
【０１４５】
【数１９】
0006980169.tif 000020
【０１４６】
ここで、ｌ≧４を取得する。
受信端は、高位層シグナリングまたは動的制御シグナリングを介して送信端によって通知された第１のマッピング関係を受信するか、または、受信端は、第１のマッピング関係を送信端と事前に合意する。前記第１のマッピング関係は、ＰＴＲＳポート1がＤＭＲＳポート1に対応し、ＰＴＲＳポート２がＤＭＲＳポート２に対応する。
【０１４７】
受信端は、第１のマッピング関係に基づいて、ＰＴＲＳ１を用いてチャネル推定を行ったチャネル推定結果を、ＤＭＲＳ１を用いてチャネル推定を行ったチャネル推定結果で除算し、第３のＯＦＤＭシンボルの送信端に対応する第１のアンテナグループ内のアンテナに対する第１の受信アンテナ上の第ｌのＯＦＤＭシンボルが経験した位相変化を得る。好ましくは、位相変化は次式で表すことができる。
【０１４８】
【数２０】
0006980169.tif 000021
【０１４９】
そして、受信端は、第１マッピング関係に基づいて、ＰＴＲＳ２を用いてチャネル推定を行って得られたチャネル推定結果を、ＤＭＲＳ２を用いてチャネル推定を行って得られたチャネル推定結果で除算し、第３のＯＦＤＭシンボルの送信端に対応する第２のアンテナグループ内のアンテナに対する第１の受信アンテナ上の第ｌのＯＦＤＭシンボルが経験した位相変化を得る。好ましくは、位相変化は次式で表すことができる。
【０１５０】
【数２１】
0006980169.tif 000022
【０１５１】
このようにして、第１の受信アンテナ上の第ｌのＯＦＤＭシンボルにおけるｋ番目のサブキャリア上のチャネル推定結果
【０１５２】
【数２２】
0006980169.tif 000023
【０１５３】
を得ることができる。
同様に、第２の受信アンテナ上の第ｌのＯＦＤＭシンボルｋ番目のサブキャリア上のチャネル推定結果を得ることができる。
【０１５４】
受信端は、高位層シグナリングまたは動的制御シグナリングを介して送信端によって通知された第２のマッピング関係を受信するか、または、第２のマッピング関係は受信端と送信端との間で事前に合意される。ここで、第２のマッピング関係は１つのデータストリームと１つのＤＭＲＳポートと間の1対1に対応する関係である。そして受信端は、第２のマッピング関係、および各アンテナの補償されたチャネル推定結果に従ってデータストリームを復調する。
【０１５５】
他のサブキャリアについても同様の処理が可能であるため、ここでの詳細な説明を省略する。
【０１５６】
第２のシナリオ：
例えば、伝送待機のデータストリームが3つであり、すなわち、Ｒ=３である。送信端内にＮ個のアンテナ（アンテナ素子またはアンテナポート）があり、アンテナは位相雑音に従って２つのグループに分類される。すなわち、Ｓ=２である。まだ、同じアンテナグループの位相雑音は同様である。ここで、最初のＮ１個のアンテナが１つのグループであり、最後の（Ｎ − Ｎ１）個のアンテナが１つのグループである。
【０１５７】
さらに、２つのＰＴＲＳポート、すなわちＭ ＝ ２、および３つのＤＭＲＳポートがあると仮定する。
【０１５８】
さらに、参考信号（ＰＴＲＳおよびＤＭＲＳを含む）のサブフレーム構成は図５に示す。ここで、ここで、１つのサブフレームは１４個のＯＦＤＭシンボルと１２個のサブキャリアを含む。横軸は時間領域である。
【０１５９】
さらに、ＤＭＲＳは第３のＯＦＤＭシンボル内に配置され、１つのＯＦＤＭシンボルにおいて、ＤＭＲＳは、３つのＤＭＲＳポートにおいて周波数分割多重技術で伝送される。１つのＰＴＲＳが１つのサブキャリアを占有し、ＰＴＲＳポート１が第５のサブキャリアに配置され、ＰＴＲＳポート２が第４のサブキャリアに配置され、ここで、ＰＴＲＳは、第４のＯＦＤＭシンボルから１４個のＯＦＤＭシンボルまで連続して送信される。ここで、上記のサブフレームにおいて、第１のＯＦＤＭシンボルから第２のＯＦＤＭシンボルは制御チャネルであり、残りの空白のＯＦＤＭシンボルは、データストリームの伝送チャネルである。
【０１６０】
送信端（例えば、基地局）：
送信待機の第１のデータストリームは送信機内の最初のＮ１本のアンテナを介して送信され、送信待機の第２のデータストリームおよび第３のデータストリームは送信端内の最後の（Ｎ − Ｎ１）本のアンテナを介して送信される。具体的に図６を参照する。
【０１６１】
例としてｋ番目のサブキャリアを取り上げると、好ましくは、データストリームを送信するためのプリコード行列は、以下の式で決定することができる。
【０１６２】
【数２３】
0006980169.tif 000024
【０１６３】
ここで、
【０１６４】
【数２４】
0006980169.tif 000025
【０１６５】
はＮｌ×１の列ベクトルであり、第１のデータストリームによって使用される前記プレコーディング内の最初のN1個のアンテナに対する重みに対応する。
ここで、
【０１６６】
【数２５】
0006980169.tif 000026
【０１６７】
は(Ｎ−Ｎｌ)×１の列ベクトルであり、それぞれ第２のデータストリームおよび第３のデータストリームによって使用される前記プレコード内の最後の（N-N1）個のアンテナに対する重みに対応する。
【０１６８】
さらに、図６に示すように、ＤＭＲＳポート１は最初のN１個のアンテナに対応する。ＤＭＲＳ１は送信端内の最初のＮ１本のアンテナにおいて伝送され、図５と合わせて、ＤＭＲＳ１はサブキャリアd１=３，６，９，１２に分布される。サブキャリアd１上のＤＭＲＳ１について、送信端がＤＭＲＳ１をプレコーディングするときに用いられた前記プレコードは、当該サブキャリア上で伝送される第１のデータストリームに対応する前記プレコード
【０１６９】
【数２６】
0006980169.tif 000027
【０１７０】
と同じである。
対応して、ＤＭＲＳポート２は、送信端内の最後の（Ｎ − Ｎ１）本のアンテナに対応する。ＤＭＲＳ２は、送信端内の最後の（Ｎ − Ｎ１）本のアンテナにより伝送され、サブキャリアd２=２，５，８，１１上に分布される。サブキャリアd２上のＤＭＲＳ２について、送信端がＤＭＲＳ２をプレコーディングするときに用いられた前記プレコードは、当該サブキャリア上で伝送される第２のデータストリームに対応する前記プレコーディング
【０１７１】
【数２７】
0006980169.tif 000028
【０１７２】
と同じである。
対応して、ＤＭＲＳポート３も送信端内の最後の（Ｎ − Ｎ１）本のアンテナに対応する。ＤＭＲＳ３は、送信端内の最後の（Ｎ − Ｎ１）本のアンテナにより伝送され、d３=１，４，７，１０上に分布される。サブキャリアd３上のＤＭＲＳ３について、送信端がＤＭＲＳ３をプレコーディングするときに用いられた前記プレコーディング方式は、当該サブキャリア上で伝送される第３のデータストリームに対応する前記プレコーディング方式
【０１７３】
【数２８】
0006980169.tif 000029
【０１７４】
と同じである。
２つのＰＴＲＳポートは、それぞれの対応するアンテナグループの位相雑音を推定するために使用され、ここで、ＰＴＲＳポート１では
【０１７５】
【数２９】
0006980169.tif 000030
【０１７６】
を使用してプレコーディングし、ＰＴＲＳポート２は、
【０１７７】
【数３０】
0006980169.tif 000031
【０１７８】
を使用してプレコーディングする。
送信端は、ＰＴＲＳポート１とＤＭＲＳポート１との間、およびＰＴＲＳポート２とＤＭＲＳポート２との間の第１のマッピング関係を、高位層シグナリングまたは動的制御シグナリングを介して受信端に通知する。また、送信端は、第１のデータストリームとＤＭＲＳポート１との間、第２のデータストリームとＤＭＲＳポート２との間、および第３のデータストリームとＤＭＲＳポート３との間の第２のマッピング関係を高位層シグナリングまたは動的制御シグナリングを介して受信端に通知する。
【０１７９】
もちろん、送信端は、高位層シグナリングまたは動的制御シグナリングを介して受信端に通知する代わりに、第１のマッピング関係および第２のマッピング関係に関して受信端と事前合意することができる。
【０１８０】
受信端（例えば、端末）：
受信端に対応して、異なるアンテナグループ内のアンテナ内のアンテナの異なる位相雑音があり、受信端の受信アンテナがNr=４であると仮定する。好ましくは、第ｌのシンボルのｋ番目のサブキャリアで受信されるデータストリームは、以下の式で決定され得る。
【０１８１】
【数３１】
0006980169.tif 000032
【０１８２】
ここで、Ｙk,lは受信信号を表し、１つのＮｒ×１の列ベクトルである。Ｎｒは受信アンテナポート数を表す。
【０１８３】
【数３２】
0006980169.tif 000033
【０１８４】
は受信端の位相雑音を示し、１つのＮｒ×Ｎｒ対角行列である。
【０１８５】
【数３３】
0006980169.tif 000034
【０１８６】
内の各要素は１つの受信アンテナポート上の位相雑音を示す。Ｈk,lは１つのＮｒ×Ｎｔのチャネル行列をあらわす。Ｈk,l内の各要素は１つの、送信端アンテナポートから受信端アンテナポーへのチャネルを表す。Ｎｔは送信アンテナポート数である。
【０１８７】
【数３４】
0006980169.tif 000035
【０１８８】
は、送信端の位相雑音を表し、１つのＮｔ×Ｎｔ対角行列である。
【０１８９】
【数３５】
0006980169.tif 000036
【０１９０】
内の各要素は１つの送信アンテナポート上の位相雑音を表す。Ｗk,lはＮｔ×Ｎｓの前記プレコード行列を表す。Ｘk,lは送信信号を表し、１つのＮｓ×１の列ベクトルであり、Ｎｓ個のデータストリームが平行に伝送されることを示す。
さらに、送信端に対応して、上記の式は以下のように書くことができる。
【０１９１】
【数３６】
0006980169.tif 000037
【０１９２】
ここで、１つのサブフレーム内のチャネルおよび前記プレコードは変更しない。すなわち、チャネル行列Ｈk,lおよび前記プレコード行列Ｗk,lは変更せず、送信端位相雑音行列の対角線にある。
【０１９３】
【数３７】
0006980169.tif 000038
【０１９４】
の要素はN1個である。
【０１９５】
【数３８】
0006980169.tif 000039
【０１９６】
の要素は（N-N1）個である。
受信端は、第３のＯＦＤＭシンボルでＤＭＲＳを受信し、第２の受信アンテナを例とし、ＤＭＲＳポート１を介して受信されたＤＭＲＳ１を使用してチャネル推定を実行し、チャネル推定結果
【０１９７】
【数３９】
0006980169.tif 000040
【０１９８】
を取得する。また、ＤＭＲＳポート２を介して受信されたＤＭＲＳ２を使用してチャネル推定を実行し、チャネル推定結果
【０１９９】
【数４０】
0006980169.tif 000041
【０２００】
を取得する。ＤＭＲＳポート３を介して受信されたＤＭＲＳ３を使用してチャネル推定を実行し、チャネル推定結果
【０２０１】
【数４１】
0006980169.tif 000042
【０２０２】
を取得する。
受信端は、ＤＭＲＳを含む第３のＯＦＤＭシンボルにおけるチャネル補間によって、すべてのサブキャリアのチャネルに対してチャネル推定を実行することができ、ここで、図５に示すように、サブキャリアについてk=１，２，…，１２である。
【０２０３】
受信端は、４番目のＯＦＤＭシンボルから２つのＰＴＲＳポートで送信されたＰＴＲＳを受信し、ＰＴＲＳポート１を通じて受信されたＰＴＲＳ１を用いてチャネル推定を行い、チャネル推定結果
【０２０４】
【数４２】
0006980169.tif 000043
【０２０５】
を取得する。ＰＴＲＳポート２を通じて受信されたＰＴＲＳ２を用いてチャネル推定を行い、チャネル推定結果
【０２０６】
【数４３】
0006980169.tif 000044
【０２０７】
を取得する。ここで、ｌ≧４である。
受信端は、高位層シグナリングまたは動的制御シグナリングを介して送信端によって通知された第１のマッピング関係を受信するか、または、受信端は、第１のマッピング関係を送信端と事前に合意する。前記第１のマッピング関係は、ＰＴＲＳポート１がＤＭＲＳポート１に対応し、ＰＴＲＳポート２がＤＭＲＳポート２とＤＭＲＳポート３に対応する。
【０２０８】
受信端は、第１のマッピング関係に基づいて、ＰＴＲＳ１を用いてチャネル推定を行ったチャネル推定結果を、ＤＭＲＳ１を用いてチャネル推定を行ったチャネル推定結果で除算し、第３のＯＦＤＭシンボルの送信端に対応する第１のアンテナグループ内のアンテナに対する第２の受信アンテナ上の第ｌのＯＦＤＭシンボルが経験した位相変化を得る。好ましくは、位相変化は次式で表すことができる。
【０２０９】
【数４４】
0006980169.tif 000045
【０２１０】
そして、受信端は、第１マッピング関係に基づいて、ＰＴＲＳ２を用いてチャネル推定を行ったチャネル推定結果を、ＤＭＲＳ２を用いてチャネル推定を行ったチャネル推定結果およびＤＭＲＳ３を用いてチャネル推定を行ったチャネル推定結果で除算し、第３のＯＦＤＭシンボルの送信端に対応する第２のアンテナグループ内のアンテナに対する第２の受信アンテナ上の第ｌのＯＦＤＭシンボルが経験した位相変化を得る。すなわち、位相雑音を得る。好ましくは、位相変化は次式で表すことができる。
【０２１１】
【数４５】
0006980169.tif 000046
【０２１２】
このようにして、第２の受信アンテナ上の第ｌのＯＦＤＭシンボルのｋ番目のサブキャリア上のチャネル推定結果
【０２１３】
【数４６】
0006980169.tif 000047
【０２１４】
を得る。
同様に、第１の、第３のおよび第４の受信アンテナ上の第ｌのＯＦＤＭシンボルのｋ番目のサブキャリア上のチャネル推定結果を得ることができる。
【０２１５】
受信端は、高位層シグナリングまたは動的制御シグナリングを介して送信端によって通知された第２のマッピング関係を受信するか、または、第２のマッピング関係は受信端と送信端との間で事前に合意される。ここで、第２のマッピング関係は１つのデータストリームと１つのＤＭＲＳポートと間の1対1に対応する関係であり、そして受信端は、第２のマッピング関係、および各アンテナの補償されたチャネル推定結果に従ってデータストリームを復調する。
【０２１６】
他のサブキャリアについても同様の処理が可能であるため、ここでの詳細な説明を省略する。
【０２１７】
図７に示すように、本発明の実施例に係る，参考信号の送信装置は、第１の送信ユニット７００と、第２の送信ユニット７１０と、第３の送信ユニット７２０とを備える。
【０２１８】
第１の送信ユニット７００は、各データストリームをプレコーディングした後対応する１つまたは複数のアンテナグループを介して伝送し、ここで、同じアンテナグループ内のアンテナ素子またはアンテナポートは同じ位相雑音を有し、１つのデータストリームに対応するすべてのアンテナグループは同じ位相雑音を有する。
【０２１９】
第２の送信ユニット７１０は、各復調参考信号（ＤＭＲＳ）ポートのＤＭＲＳをプレコーディングした後対応する１つまたは複数のアンテナグループを介して伝送し、ここで、１つのＤＭＲＳポートに対応するすべてのアンテナグループは同じ位相雑音を有し、かつ１つのデータストリームは１つのＤＭＲＳポートに対応する。
【０２２０】
第３の送信ユニット７２０は、各位相追跡参考信号（ＰＴＲＳ）ポートのＰＴＲＳをプレコーディングした後対応する１つまたは複数のアンテナグループを介して伝送し、ここで、１つのＰＴＲＳポートに対応するすべてのアンテナグループは同じ位相雑音を有し、また、１つのＰＴＲＳポートは少なくとも１つのＤＭＲＳポートに対応する。
【０２２１】
オプションとして、前記プレコーディングユニット７５０がさらに備えられる。
【０２２２】
前記前記プレコーディングユニット７５０は、
データストリームをプレコーディングし、前記１つのデータストリームに対応するアンテナグループ以外の他のアンテナグループ内のアンテナ素子またはアンテナポートに対する重みがゼロであり、
１つのＤＭＲＳをプレコーディングし、前記１つのＤＭＲＳに対応するアンテナグループ以外の他のアンテナグループ内のアンテナ素子またはアンテナポートに対する重みがゼロであり、
１つのＰＴＲＳをプレコーディングし、前記１つのＰＴＲＳに対応するアンテナグループ以外の他のアンテナグループ内のアンテナ素子またはアンテナポートに対する重みがゼロである。
【０２２３】
オプションとして、第１の処理ユニット７３０がさらに備えられる。
【０２２４】
前記第１の処理ユニット７３０は、各ＰＴＲＳポートと各ＤＭＲＳポートとの間の第１のマッピング関係を決定し、ここで、第１のマッピング関係を有するＰＴＲＳポートおよびＤＭＲＳポートは同じアンテナグループを使用して伝送する。
【０２２５】
オプションとして、前記第１の処理ユニット７３０は、さらに、
前記第１のマッピング関係を決定した後、前記第１のマッピング関係を受信端に送信し、または、
前記第１のマッピング関係について受信端と事前に合意する。
【０２２６】
オプションとして、前記第１のマッピング関係を受信端に送信する場合、前記第１の処理ユニット７３０は、高位層シグナリングを介して前記第１のマッピング関係を受信端に送信し、または、動的制御シグナリングを介して前記第１のマッピング関係を受信端に送信する。
【０２２７】
オプションとして、第２の処理ユニット７４０がさらに備えられる。
【０２２８】
前記第２の処理ユニット７４０は、送信待機の各データストリームと前記各ＤＭＲＳポートとの間の第２のマッピング関係を決定し、ここで、第２のマッピング関係を有するデータストリームおよびＤＭＲＳポートは同じアンテナグループを介して伝送する。
【０２２９】
オプションとして、前記第２の処理ユニット７４０は、前記第２のマッピング関係を決定した後、前記第２のマッピング関係を受信端に送信し、または、前記第２のマッピング関係について受信端と事前に合意する。
【０２３０】
オプションとして、前記第２のマッピング関係を受信端に送信する場合、前記第２の処理ユニット７４０は、高位層シグナリングを介して前記第２のマッピング関係を受信端に送信し、または、動的制御シグナリングを介して前記第２のマッピング関係を受信端に送信する。
【０２３１】
オプションとして、１つのＰＴＲＳのために前記装置によって使用される前記プレコードは、前記ＰＴＲＳに対応するＤＭＲＳポートに対応する送信データストリームがＰＴＲＳサブキャリアにおいて使用する前記プレコードと同じであるかまたは関連する。
【０２３２】
オプションとして、１つのＤＭＲＳのために前記装置によって使用される前記プレコーディングは、前記ＤＭＲＳに対応するＤＭＲＳポートに対応する１つのデータストリームが前記ＤＭＲＳポートを含むサブキャリアにおいて使用する前記プレコードと同じである。
【０２３３】
図８に示すように、本発明の実施例に係る，位相雑音の決定装置は、第１の処理ユニット８００と、第２の処理ユニット８１０と、第３の処理ユニット８２０と、第４の処理ユニット８３０とを備える。
【０２３４】
前記第１の処理ユニット８００は、各復調参考信号（ＤＭＲＳ）ポートに対応するアンテナグループそれぞれを介して送信端によって送信されたＤＭＲＳを受信し、受信された各ＤＭＲＳに基づいて第１のチャネル推定を実行し、対応する第１のチャネル推定結果を取得する。
【０２３５】
前記第２の処理ユニット８１０は、各位相追跡参考信号（ＰＴＲＳ）ポートに対応するアンテナグループを介して送信端によってそれぞれ送信されたＰＴＲＳを受信し、受信された各ＰＴＲＳに基づいて第２のチャネル推定を実行し、対応する第２のチャネル推定結果を取得する。
【０２３６】
前記第３の処理ユニット８２０は、第１のマッピング関係を決定し、前記第１のマッピング関係は、各ＰＴＲＳポートと各ＤＭＲＳポートとの間の対応関係を表し、ここで、１つのＰＴＲＳポートは、少なくとも１つのＤＭＲＳポートに対応し、対応関係を有するＰＴＲＳポートおよびＤＭＲＳポートは同じアンテナグループを介して伝送する。
【０２３７】
前記第４の処理ユニット８３０は、前記第１のマッピング関係に基づいて各ＰＴＲＳの第２のチャネル推定結果および対応するＤＭＲＳの第１のチャネル推定結果を用いて、ＰＴＲＳを含むシンボルにおいて、各ＰＴＲＳポートに対応するアンテナグループの位相雑音から生じる位相変化を計算する。
【０２３８】
オプションとして、前記第１のマッピング関係は、前記装置が送信端からの通知に基づいて取得され、または、前記第１のマッピング関係は、前記装置と送信端の間に事前に合意されたものである。
【０２３９】
オプションとして、第５の処理ユニット８４０がさらに備えられる。
【０２４０】
前記第５の処理ユニット８４０は、
各データストリームに対応するアンテナグループを介して送信端によってそれぞれ送信されたデータストリームを受信し、
第２のマッピング関係を決定し、前記第２のマッピング関係は、各データストリームと各ＤＭＲＳポートとの間の対応関係を表し、ここで、１つのデータストリームは１つのＤＭＲＳポートに対応し、対応関係を有するデータストリームおよびＤＭＲＳポートは、同じアンテナグループを介して伝送し、
前記第２のマッピング関係に基づいて、各データストリームに対してそれぞれ以下の操作を実行し、
１つのデータストリームに対応するＤＭＲＳポート上で推定された第１のチャネル推定結果を決定し、
前記ＤＭＲＳポートに対応するアンテナグループの位相雑音から生じる位相変化を用いて
前記第１のチャネル推定結果を補償し、
補償された第１のチャネル推定結果を用いて前記１つのデータストリームを復調する。
【０２４１】
オプションとして、前記第２のマッピング関係は、前記装置が送信端からの通知に基づいて取得され、または、前記第２のマッピング関係は、前記装置と送信端の間に事前に合意されたものである。
【０２４２】
図９に示すように、本発明の実施例に係る、参考信号の送信装置は、プロセッサ９００と送受信機９０１と、メモリ９０２とを備える。
【０２４３】
前記プロセッサ９００は、メモリ９０２内のプログラムを読み取り、送受信機９０１によりデータストリーム、ＤＭＲＳおよびＰＴＲＳを送信する。
【０２４４】
また、各データストリームをプレコーディングした後対応する１つまたは複数のアンテナグループを介して伝送し、ここで、同じアンテナグループ内のアンテナ素子またはアンテナポートは同じ位相雑音を有し、１つのデータストリームに対応するすべてのアンテナグループは同じ位相雑音を有する。
【０２４５】
また、各復調参考信号（ＤＭＲＳ）ポートのＤＭＲＳをプレコーディングした後対応する１つまたは複数のアンテナグループを介して伝送し、ここで、１つのＤＭＲＳポートに対応するすべてのアンテナグループは同じ位相雑音を有し、かつ１つのデータストリームは１つのＤＭＲＳポートに対応する。
【０２４６】
また、各位相追跡参考信号（ＰＴＲＳ）ポートのＰＴＲＳをプレコーディングした後対応する１つまたは複数のアンテナグループを介して伝送し、ここで、１つのＰＴＲＳポートに対応するすべてのアンテナグループは同じ位相雑音を有し、また、１つのＰＴＲＳポートは少なくとも１つのＤＭＲＳポートに対応する。
【０２４７】
前記送受信機９０１は、前記プロセッサ９００の制御によりデータを送受信する。
【０２４８】
オプションとして、前記プロセッサ９００は、
データストリームをプレコーディングし、前記１つのデータストリームに対応するアンテナグループ以外の他のアンテナグループ内のアンテナ素子またはアンテナポートに対する重みがゼロであり、
１つのＤＭＲＳをプレコーディングし、前記１つのＤＭＲＳに対応するアンテナグループ以外の他のアンテナグループ内のアンテナ素子またはアンテナポートに対する重みがゼロであり、
１つのＰＴＲＳをプレコーディングし、前記１つのＰＴＲＳに対応するアンテナグループ以外の他のアンテナグループ内のアンテナ素子またはアンテナポートに対する重みがゼロである。
【０２４９】
オプションとして、前記プロセッサ９００は、各ＰＴＲＳポートと各ＤＭＲＳポートとの間の第１のマッピング関係を決定し、ここで、第１のマッピング関係を有するＰＴＲＳポートおよびＤＭＲＳポートは同じアンテナグループを使用して伝送する。
【０２５０】
オプションとして、前記プロセッサ９００は、
前記第１のマッピング関係を決定した後、前記第１のマッピング関係を受信端に送信し、または、前記第１のマッピング関係について受信端と事前に合意する。
【０２５１】
オプションとして、前記第１のマッピング関係を受信端に送信する場合、前記プロセッサ９００は、高位層シグナリングを介して前記第１のマッピング関係を受信端に送信し、または、動的制御シグナリングを介して前記第１のマッピング関係を受信端に送信する。
【０２５２】
オプションとして、前記プロセッサ９００は、送信待機の各データストリームと前記各ＤＭＲＳポートとの間の第２のマッピング関係を決定し、ここで、第２のマッピング関係を有するデータストリームおよびＤＭＲＳポートは同じアンテナグループを介して伝送する。
【０２５３】
オプションとして、前記プロセッサ９００は、前記第２のマッピング関係を決定した後、前記第２のマッピング関係を受信端に送信し、または、前記第２のマッピング関係について受信端と事前に合意する。
【０２５４】
オプションとして、前記第２のマッピング関係を受信端に送信する場合、前記プロセッサ９００は、高位層シグナリングを介して前記第２のマッピング関係を受信端に送信し、または、動的制御シグナリングを介して前記第２のマッピング関係を受信端に送信する。
【０２５５】
オプションとして、１つのＰＴＲＳのためにプロセッサ９００によって使用される前記プレコードは、前記ＰＴＲＳに対応するＤＭＲＳポートに対応する送信データストリームがＰＴＲＳサブキャリアにおいて使用する前記プレコードと同じであるかまたは関連する。
【０２５６】
オプションとして、１つのＤＭＲＳのためにプロセッサ９００によって使用される前記プレコードは、前記ＤＭＲＳに対応するＤＭＲＳポートに対応する１つのデータストリームが前記ＤＭＲＳポートを含むサブキャリアにおいて使用する前記プレコードと同じである。
【０２５７】
ここで、図９において、バスアーキテクチャは、いずれ数の相互接続するバス及びブリッジを備える。具体的に、プロセッサ９００が代表となる１つまたは複数のプロセッサ及びメモリ９０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機９０１は、伝送媒体を介して他の様々な装置と通信するためのユニットである、いくつかの要素、例えば送信機および受信機とすることができる。
【０２５８】
図１０に示すように、本発明の実施例に係る，位相雑音の決定装置は、プロセッサ１００と、送受信機１０１と、メモリ１０２と、ユーザインタフェース１０３とを備える。
【０２５９】
前記プロセッサ１００は、メモリ１０２内のプログラムを読み出し、送受信機１０１により、データストリーム、ＤＭＲＳおよびＰＴＲＳを受信する。
【０２６０】
また、各復調参考信号（ＤＭＲＳ）ポートに対応するアンテナグループそれぞれを介して送信端によって送信されたＤＭＲＳを受信し、受信された各ＤＭＲＳに基づいて第１のチャネル推定を実行し、対応する第１のチャネル推定結果を取得する。
【０２６１】
また、各位相追跡参考信号（ＰＴＲＳ）ポートに対応するアンテナグループを介して送信端によってそれぞれ送信されたＰＴＲＳを受信し、受信された各ＰＴＲＳに基づいて第２のチャネル推定を実行し、対応する第２のチャネル推定結果を取得する。
【０２６２】
また、第１のマッピング関係を決定し、前記第１のマッピング関係は、各ＰＴＲＳポートと各ＤＭＲＳポートとの間の対応関係を表し、ここで、１つのＰＴＲＳポートは、少なくとも１つのＤＭＲＳポートに対応し、対応関係を有するＰＴＲＳポートおよびＤＭＲＳポートは同じアンテナグループを介して伝送する。
【０２６３】
また、前記第１のマッピング関係に基づいて各ＰＴＲＳの第２のチャネル推定結果および対応するＤＭＲＳの第１のチャネル推定結果を用いて、ＰＴＲＳを含むシンボルにおいて、各ＰＴＲＳポートに対応するアンテナグループの位相雑音から生じる位相変化を計算する。
【０２６４】
前記送受信機１０１は、前記プロセッサ１００の制御によりデータを送受信する。
【０２６５】
オプションとして、前記第１のマッピング関係は、プロセッサ１００が送信端殻の通知により取得されるか、または、前記第１のマッピング関係は、プロセッサ１００が送信端と事前に合意したものである。
【０２６６】
オプションとして、前記プロセッサ１００は、
各データストリームに対応するアンテナグループを介して送信端によってそれぞれ送信されたデータストリームを受信し、
第２のマッピング関係を決定し、前記第２のマッピング関係は、各データストリームと各ＤＭＲＳポートとの間の対応関係を表し、ここで、１つのデータストリームは１つのＤＭＲＳポートに対応し、対応関係を有するデータストリームおよびＤＭＲＳポートは、同じアンテナグループを介して伝送し、
前記第２のマッピング関係に基づいて、各データストリームに対してそれぞれ以下の操作を実行し、
１つのデータストリームに対応するＤＭＲＳポート上で推定された第１のチャネル推定結果を決定し、
前記ＤＭＲＳポートに対応するアンテナグループの位相雑音から生じる位相変化を用いて
前記第１のチャネル推定結果を補償し、
補償された第１のチャネル推定結果を用いて前記１つのデータストリームを復調する。
【０２６７】
オプションとして、前記第２のマッピング関係は、プロセッサ１００が送信端殻の通知により取得されるか、または、前記第２のマッピング関係は、プロセッサ１００が送信端と事前に合意したものである。
【０２６８】
ここで、図１０において、バスアーキテクチャは、いずれ数の相互接続するバス及びブリッジを備える。具体的に、プロセッサ１００が代表となる１つまたは複数のプロセッサ及びメモリ１０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１０１は、複数の部品であることができ、即ち、送信機及び受信機を備え、伝送媒体を介して他の装置と通信するユニットを提供する。異なるユーザー設備に対し、ユーザインタフェース１０３は、外部接続または内部接続に必要な設備のインターフェースであることもできる。接続する設備は、キーパッド、ディスプレー、スピーカー、マイクロホン、ジョイスティック等を備えるが、これに限られない。
【０２６９】
プロセッサ１００は、バスアーキテクチャ及び通常の処理を監視し、メモリ１０２はプロセッサ１００が動作する際に利用するデータを記憶することができる。
【０２７０】
よって、本発明の実施例に係る，送信端は、同じ位相雑音を有する対応するアンテナグループを介してそれぞれのプリコーディングされたユーザデータストリームを受信端に送信し、同じ位相雑音を有する対応するアンテナグループを介してそれぞれのプリコーディングされたＤＭＲＳを送信する。同じ位相雑音を有するそれぞれの対応するアンテナグループを介してそれぞれのプリコーディングされたＰＴＲＳを受信端に送信する。ここで、同じアンテナグループ内のアンテナ素子またはアンテナポートト要素またはアンテナポートに同じ位相雑音がある。ＰＴＲＳを受信すると、受信端は、受信された各ＰＴＲＳに基づいてチャネル推定を実行し、異なるアンテナグループに対応する位相雑音から生じる位相変化を決定する。そして、ことなるアンテナグループの位相雑音から生じる位相変化を使用して、ことなるアンテナグループそれぞれの対応するＤＭＲＳポートのチャネル推定結果を補償し、合意した１つのデータストリームに対応する１つのＤＭＲＳポートのマッピング関係に基づき、補償されたチャネル推定結果を用いて、アンテナグループを介して伝送される対応のデータストリームを復調する。このようにして、送信端の異なるアンテナの異なる位相雑音があったとしても、受信端は、異なる位相雑音から生じる位相変化を正確に決定することができ、従って異なる位相変化により、異なるアンテナグループを介して送信されるすべてのデータを正確に復調する。
【０２７１】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０２７２】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０２７３】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２７４】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０２７５】
上記の実施形態に記述された技術的な解決手段を改造し、或いはその中の一部の技術要素を置換することもできる。そのような、改造と置換は本発明の各実施形態の技術の範囲から逸脱するとは見なされない。
【０２７６】
無論、当業者によって、上記の実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２７７】
７００  第１の送信ユニット
７１０  第２の送信ユニット
７２０  第３の送信ユニット
７３０  第１の処理ユニット
７４０  第２の処理ユニット
７５０  プレコーディングユニット
８００  第１の処理ユニット
８１０  第２の処理ユニット
８２０  第３の処理ユニット
８３０  第４の処理ユニット
８４０  第５の処理ユニット
９００  プロセッサ
９０１  送受信機
９０２  メモリ
１００  プロセッサ
１０１  送受信機
１０２  メモリ
１０３  ユーザインタフェース
【図１ａ】
0006980169.tif 000048
【図１ｂ】
0006980169.tif 000049
【図２ａ】
0006980169.tif 000050
【図２ｂ】
0006980169.tif 000051
【図３】
0006980169.tif 000052
【図４】
0006980169.tif 000053
【図５】
0006980169.tif 000054
【図６】
0006980169.tif 000055
【図７】
0006980169.tif 000056
【図８】
0006980169.tif 000057
【図９】
0006980169.tif 000058
【図１０】
0006980169.tif 000059